(57)【要約】【課題】  ＪＦＥＴを用いたアイドリング電流がゼロの電源の開発、および、その電源を用いた待機電力回路の開発、ならびに、蓄電池充電回路の開発。【解決手段】  図１のように直流電源Ｅの正端子にＪＦＥＴＱ１のドレインを接続し、Ｑ１のソースとＥの負端子（０点）間にコンデンサＣ１を接続し、Ｑ１のゲートと０点間にゲート側を正の電圧を印加すれば、アイドリング電流がゼロの電源回路になり、Ｃ１の両端が電源になる。また、Ｃ１の両端は補助電源ＥＨとして制御回路ＳＧの電源端子に接続する。一方、Ｅの正負端子間に正側より負荷回路ＲＬとＭＯＳＦＥＴＱ２を直列接続し、ＳＧの出力ＯＰとＱ２のゲートを接続してＱ２をオン／オフさせれば、アイドリング電流ゼロの待機電力回路になる。図３と図４は交流電源に適用した回路である。ＲＬとＭＯＳＦＥＴを接続せず、コンデンサＣ１に代えて蓄電池を接続すれば、蓄電池充電回路になる。【選択図】図１
2007236175.tif 000002
【特許請求の範囲】
【請求項１】
次のＡ群から選択された１つの電源回路のコンデンサの両端を電源端子とする、電源。
Ａ群
ａ．直流電源または脈流電源の正端子にデプレッション型ＮチャンネルＪＦＥＴのドレインを接続し、前記ＪＦＥＴのソースとコンデンサを接続し、前記コンデンサの別の端子と前記直流電源または脈流電源の負端子を接続して、前記直流電源または脈流電源の負端子を基準にして前記ＪＦＥＴのゲートに正の電圧を印加した、電源回路。
ｂ．直流電源または脈流電源の負端子にデプレッション型ＰチャンネルＪＦＥＴのドレインを接続し、前記ＪＦＥＴのソースとコンデンサを接続し、前記コンデンサの別の端子と前記直流電源または脈流電源の正端子を接続して、前記直流電源または脈流電源の正端子を基準にして前記ＪＦＥＴのゲートに負の電圧を印加した、電源回路。
【請求項２】
請求項１の電源を、待機時の主電源スイッチ回路の導通を制御する制御回路の電源として用いる、待機電力回路。
【請求項３】
次のＡ群から選択された１つの電源回路の充電用正端子と充電用負端子を充電時の蓄電池接続端子とする、蓄電池充電回路。
Ａ群
ａ．直流電源または脈流電源の正端子にデプレッション型ＮチャンネルＪＦＥＴのドレインを接続し、前記ＪＦＥＴのソースを被充電蓄電池の充電用正端子とし、前記直流電源または脈流電源の負端子を被充電蓄電池の充電用負端子として、前記直流電源または脈流電源の負端子を基準にして前記ＪＦＥＴのゲートに正の電圧を印加した、電源回路。
ｂ．直流電源または脈流電源の負端子にデプレッション型ＰチャンネルＪＦＥＴのドレインを接続し、前記ＪＦＥＴのソースを被充電蓄電池の充電用負端子とし、前記直流電源または脈流電源の正端子を被充電蓄電池の充電用正端子として、前記直流電源または脈流電源の正端子を基準にして前記ＪＦＥＴのゲートに負の電圧を印加した、電源回路。
【発明の詳細な説明】
【技術分野】
【０００１】  本発明は、デプレッション型ジャンクションＦＥＴ（本文では単にＪＦＥＴと記す）を利用した電源およびその電源を用いた待機電力回路ならびに蓄電池充電回路に関する。
実施例は全てＮチャンネルＪＦＥＴであるが、簡単な回路変更でＰチャンネルＪＦＥＴも使用可能である。なお、電源回路に使用するコンデンサの充電動作と蓄電池充電動作の考え方は同じなので、電源およびその電源を用いた待機電力回路を中心に説明し、蓄電池充電回路の動作説明については簡単にする。
明細書で使用する混同しやすい下記用語を、念のため最初に記す。
▲１▼入力電源：電源回路の入力端子に接続する直流電源（脈流電源も含む）。
▲２▼電源回路：▲１▼の入力電源を入力とし、▲３▼の電源を出力する回路。図１の回路では、ＪＦＥＴＱ１、コンデンサＣ１、電池Ｂ、抵抗器Ｒ１の部分である。
蓄電池充電回路は基本的には前記電源回路と同じであるが、コンデンサＣ１は必ずしも接続の必要はない。
▲３▼電    源：▲２▼の電源回路で使用するコンデンサＣ１の両端が、電源である。
待機電力回路では、この電源が制御回路の電源で補助電源になる。
蓄電池充電回路では、この電源端子が蓄電池充電回路の正負端子になる。
▲４▼出力電圧：▲３▼の電源回路のコンデンサＣ１の電圧が出力電圧で、Ｖｃ１で表す。
電源回路の出力電圧は、待機電力回路では補助電源電圧になる。
蓄電池充電回路では、充電中の蓄電池電圧Ｖｔと同じ値になる。
▲５▼出力電流：▲３▼の電源から流れ出る電流。
待機電力回路としては、制御回路の電源電流になる。
蓄電池充電回路では、蓄電池充電電流になる。
【背景技術】
【０００２】  最近の大型の電源回路はスイッチング・レギュレータ電源回路を用いることが多い。
待機電力は電力が小さいので研究開発もあまり力を注がれていず、待機電力に使用される補助電源回路は依然として３端子レギュレータの使用が多い。
図５は、補助電源に３端子レギュレータを用いた回路の１例である。図５の３端子レギュレータを直流電源Ｅに接続すれば、出力電流の有無にかかわらず０点にアイドリング電流（出力電圧を発生させるために流しておく電流で、バイアス電流または回路電流とも言われる。この電流は出力電流の有無にかかわらず流れている）が流れて電力を消費する。例えば、直流電源Ｅの電圧が１５Ｖでアイドリング電流が１０ｍＡであれば、アイドリング電流による電力のみでも１５０ｍＷの待機電力になる。３端子レギュレータを使用した実際の商品では、トランスの励磁電流等を含む前記以外の電力で、待機電力は数百ｍＷ〜数Ｗの商品が多いが、制御回路で真に必要とする制御回路電力は数ｍＷ以下で、待機電力と必要電力の比は実に数百倍〜数千倍である。また、日本での全家庭用電力の１０％が待機電力であり、地球温暖化防止のためにも待機電力の削減は必須の課題である。
蓄電池充電回路では、図５の３端子レギュレータ部の出力に被充電蓄電池を接続することになるが、充分に充電ししかも過充電にならないようにするためには充電電圧を監視して手動で充電を止めるか、複雑な回路により自動で充電を止める必要がある。しかも、充電器自体もアイドリング電流が流れているので被充電蓄電池を接続していないときでも電力を消費している回路が多い。
【非特許文献１】雑誌「トランジスタ技術」ＣＱ出版株式会社、２０００年５月号、Ｐ．１６８〜１６９、図６。
【非特許文献２】雑誌「電子技術」日刊工業新聞社、１９９８年３月号、Ｐ．２〜３。
【発明の開示】
【発明が解決しようとする課題】
【０００３】  電源およびその電源を用いた待機電力回路を説明する。図５のように、待機電力回路に使用する制御回路ＳＧの電源として３端子レギュレータ回路の出力電圧を使用し、ＳＧの出力ＯＰでスイッチであるＭＯＳＦＥＴＱ２をオン／オフさせる回路例で考える。待機電力回路は３端子レギュレータの出力電流の有無にかかわらず、制御回路ＳＧの電源端子には電圧を印加しておく必要がある。即ち、３端子レギュレータは出力電圧を発生させるためアイドリング電流を流しておかねばならず、アイドリング電流は待機電力になるという問題があった。
また、蓄電池充電回路では充電完了時に手動または自動で充電を止める必要があるが、手動で止めるのは煩わしく、自動で止める回路にするには複雑で高価な回路になり、被充電蓄電池が接続されていなくともアイドリング電流は流れて電力が発生すると言う問題があった。
本発明はこのような問題を解決するものである。
電源および待機電力回路では、電源回路から出力電流があれば入力電源から電源回路に電流は流入するが、電源回路からの出力電流がゼロなら出力電圧を維持したまま入力電源からの流入電流を基本的にはゼロにすることを目的とする。
蓄電池充電回路では、蓄電池電圧がある電圧以上になれば充電が自動的に止まり、しかもアイドリング電流がゼロの回路にすることを目的にする。
以上のように両回路はコンデンサと蓄電池の違いはあるが、充電電圧の漸増に伴う充電電流の漸減の関係およびアイドリング電流の考え方は全く同じである。
【課題を解決するための手段】
【０００４】  電源およびその電源を用いた待機電力回路について、直流電源で説明する。直流電源正端子にＪＦＥＴのドレインを接続し、ＪＦＥＴのソースにコンデンサを接続し、コンデンサの別の端子を電源負端子（０点）に接続し、０点とＪＦＥＴのゲート間にゲート側が正の電圧を印加する。この回路で充電されたコンデンサが電源になる。この電源はアイドリング電流≒ゼロなので、アイドリング時の電力は漏れ電流によるマイクロワット（μＷ）オーダーである。
蓄電池充電回路では、前記回路のコンデンサ端子を蓄電池の充電用正負端子にすると、蓄電池電圧の漸増に伴い充電電流は漸減し、やがてゼロになる。
【発明の効果】
【０００５】  本提案電源は小電力の電源に適した電源で、待機電力回路等の補助電源には最適である。
蓄電池充電回路では蓄電池電圧の漸増に伴い充電電流は漸減して、蓄電池がある電圧まで充電されれば充電電流はゼロになるので、過充電されることは無くなる。
両回路ともアイドリング電流は基本的にはゼロである。
【発明を実施するための最良の形態】
【０００６】  以下、本発明の実施の形態を図１〜図４に基づいて説明する。
【実施例１】
【０００７】  図１を説明する前に図２を説明する。図２はＪＦＥＴである２ＳＫ１８４のドレイン飽和電流Ｉｄｓｓをパラメータとするゲート・ソース間電圧Ｖｇｓ（負の値）とドレイン電流Ｉｄの関係である伝達特性で、ＩｄがゼロになるＶｇｓがピンチオフ電圧Ｖｐ（負の値）である。図２を見れば明らかなように低いドレイン飽和電流Ｉｄｓｓではピンチオフ電圧Ｖｐは絶対値が小さく、大きいＩｄｓｓではＶｐの絶対値が大きいので、バラツキの大きいＪＦＥＴではＩｄｓｓでランク分けすることが多い。構造的にはゲート・ドレイン間はＰＮ接合で、原理的にはゲート電圧はドレイン電圧より０．７Ｖ程度まで高くできるが、その時のドレイン電流はほぼドレイン飽和電流である。
【非特許文献３】鈴木雅臣著「続トランジスタ回路の設計」ＣＱ出版社、１９９４年７月２０日  第３版発行．図２は本書のｐ．３７．図１１の転写。
【０００８】  図２に基づき図１を説明する。図１は本発明の請求項１〜請求項３にかかわる実施例で、直流電源用回路である。先ず、電源および待機電力回路について説明する。直流電源Ｅの正端子にＪＦＥＴＱ１のドレインを接続し、Ｑ１のソースにコンデンサＣ１の黒点側を接続し、Ｃ１の非黒点側をＥの負端子である０点に接続する。コンデンサＣ１の両端は制御回路ＳＧの電源端子に接続する。電池Ｂの負端子は０点に接続し、Ｂの正端子は抵抗器Ｒ１を介してＪＦＥＴＱ１のゲートに接続する。抵抗器Ｒ１は電池Ｂの電圧がコンデンサＣ１の電圧より高いときのＢから流れ出る電流を抑制する。別に直流電源Ｅの正負端子間に正端子より負荷回路ＲＬとＭＯＳＦＥＴＱ２を直列接続し、Ｑ２のゲートは制御回路ＳＧの出力ＯＰに接続する。この回路の、ＪＦＥＴＱ１、コンデンサＣ１、抵抗器Ｒ１、電池Ｂ、が電源回路で、Ｃ１の両端が制御回路ＳＧ用の電源で補助電源ＥＨになる。【０００９】  この回路の動作を、直流電源Ｅの電圧がある値以上あるとして説明する。コンデンサＣ１の電圧Ｖｃ１と電池Ｂの電圧Ｖｂとの差の値により動作は下記のように多少異なる。
以下の説明はコンデンサＣ１で説明するが、前述のようにコンデンサの充電動作と蓄電池の充電動作は全く同じなので、コンデンサＣ１の電圧Ｖｃ１を蓄電池充電電圧Ｖｔに、またコンデンサＣ１の充電電流は蓄電池充電電流に置き換えれば、そのまま蓄電池充電動作としての説明になるので、蓄電池充電回路としてはあえて説明は省略する。
（電池Ｂの電圧：Ｖｂ、コンデンサＣ１の電圧：Ｖｃ１、Ｑ１のゲート・ソース間電圧：Ｖｇｓ、Ｑ１のピンチオフ電圧：Ｖｐ、Ｑ１のドレイン電流：Ｉｄ、Ｑ１のドレイン飽和電流：Ｉｄｓｓ）
ａ．電源の出力電流がゼロの時の、Ｑ１のドレイン電流Ｉｄを説明する。
（この時のＱ１のドレイン電流ＩｄはコンデンサＣ１の充電電流と同じ値）
▲１▼．０≦（Ｖｂ−Ｖｃ１）の時は、Ｖｇｓ≒０なのでＩｄ≒Ｉｄｓｓになり、コンデンサＣ１をＩｄｓｓで充電する。
▲２▼．Ｖｐ≦（Ｖｂ−Ｖｃ１）＝Ｖｇｓ≦０の時は、図２によるＶｇｓに基づくＩｄになり、コンデンサＣ１をＩｄで充電する。
（Ｖｂ−Ｖｃ１）＝ＶｐになればＩｄはゼロなので、電源回路の待機電力もゼロになる。
▲３▼．（Ｖｂ−Ｖｃ１）＜Ｖｐにはならないが、何らかの理由でこのようになれば、Ｉｄはゼロなので、電源回路の待機電力もゼロである。
ｂ．電源からの出力電流とドレイン電流Ｉｄが同じ値で安定している状態でのコンデンサＣ１の電圧Ｖｃ１を説明する。
▲４▼．０≦電源回路の出力電流＝Ｉｄ≦Ｉｄｓｓの時は、Ｖｃ１＝（Ｖｂ−Ｉｄ時のＶｇｓ）になるがＶｇｓは負の値なので、Ｖｃ１はＶｂから絶対値でＶｇｓだけ高い電圧になる。
▲５▼．Ｉｄｓｓ≦（電源回路の出力電流）の時は、出力電流はＩｄｓｓに抑制される。この時はＶｃ１＝Ｖｂになる。
ｃ．安定状態での電源回路の出力電圧のまとめ。
電源回路の出力電圧ＯＰ（コンデンサＣ１の電圧Ｖｃ１）は、下記の▲６▼〜▲８▼から分かるように、Ｖｂ≦Ｖｃ１≦（Ｖｂ−Ｖｐ）になる。
▲６▼．出力電流＝Ｉｄｓｓの時：Ｖｃ１＝Ｖｂ
▲７▼．出力電流＝ゼロの時：Ｖｃ１＝（Ｖｂ−Ｖｐ）
▲８▼．出力電流＝Ｉｄの時＝Ｖｃ１＝（Ｖｂ−Ｉｄ時のＶｇｓ）
（ＶｐとＶｇｓは前述のようにＮチャンネルＪＦＥＴでは負の値である）
蓄電池充電回路では、▲７▼記載の蓄電池電圧Ｖｔ＝（Ｖｂ−Ｖｐ）と設定すれば，Ｖｔは（Ｖｂ−Ｖｐ）以上に充電されることはなく、またＶｔが下がれば自動的に充電が開始される。【００１０】  電源および待機電力回路として図１の全体回路の動作を説明する。ＪＦＥＴＱ１のゲートに電圧が印加されているので直流電源Ｅの電流は、直流電源Ｅ−ＪＦＥＴＱ１−コンデンサＣ１−直流電源Ｅ、と流れてコンデンサＣ１を充電する。コンデンサＣ１に充電された電圧は補助電源ＥＨとして制御回路ＳＧの電源端子に印加されてＳＧは動作し、ＳＧ出力ＯＰはＭＯＳＦＥＴＱ２のゲートに印加される。制御回路ＳＧの出力ＯＰは入力ＩＰによりハイ／ロウになるが、ＯＰがロウならＭＯＳＦＥＴＱ２はオフになるので負荷回路ＲＬに電流は流れない。出力ＯＰがハイならばＭＯＳＦＥＴＱ２はオンになるので電流は、直流電源Ｅ−負荷回路ＲＬ−ＭＯＳＦＥＴＱ２−直流電源Ｅ、と流れて負荷回路ＲＬは動作する。
この回路は、電源回路から出力電流が流れれば直流電源Ｅから電源回路に電流は流入するが、電源回路からの出力電流がゼロなら「０００９」▲２▼に記載のようにアイドリング電流はゼロなので、Ｅからの電流はゼロで待機電力もゼロである。従来の待機電力回路は電源回路からの出力電流の有無に無関係に電圧を発生させるためにアイドリング電流を流す必要があったが、本提案回路は電源回路から出力電流があれば入力電源から電流は流れて来るが出力電圧を発生させるのみではアイドリング電流はゼロであり、この点が従来の待機電力回路と大きく異なる点である。なお、コンデンサＣ１の電圧Ｖｃ１（補助電源電圧）は制御回路ＳＧの電源電流により多少は変動するが、前述のように変動幅はピンチオフ電圧Ｖｐ以下である。
ＪＦＥＴのドレイン飽和電流Ｉｄｓｓは一般的には２０ｍＡ以下であるが、ＪＦＥＴを並列接続すれば出力電流を大きくできる。複数のＪＦＥＴの並列接続では、ドレイン電流Ｉｄは全てのＩｄの和の電流になり、ピンチオフ電圧Ｖｐは最も低いＶｐ（絶対値で最大）になる。出力電流の大小で出力電圧の変動を小さく（Ｖｐの絶対値を小さく）するには、ドレイン飽和電流Ｉｄｓｓの小さいＪＦＥＴを並列接続すればよい。また、出力電流による出力電圧の変動を小さくするには、多少待機電力は増加するが出力端子に抵抗器を接続して常時多少の電流を流しておけばピンチオフ電圧Ｖｐは実質的には小さくなる。図２でドレイン飽和電流Ｉｄｓｓ＝６．５ｍＡのＪＦＥＴで常時Ｉｄ＝１ｍＡを流しておけばピンチオフ電圧Ｖｐは、−０．７Ｖ→−０．４Ｖになり、電源回路としての電圧変動幅は、０．７Ｖ→０．４Ｖになる。電池Ｂに代えて「数百ＭΩの抵抗器＋ツェナーダイオード」が使用可能である。その時のツェナーダイオード電流は一種のアイドリング電流になり待機電力の増加になるが、その電力は数μＷ程度である。
蓄電池充電回路については、段落「０００８」〜「０００９」の説明のコンデンサＣ１を蓄電池に置き換えれば良いが、再度簡単に説明する。電源回路の出力端子に蓄電池を接続すれば、蓄電池充電回路として使用も可能である。蓄電池の充電完了電圧＝（Ｖｂ−Ｖｐ）にすれば、蓄電池電圧の漸増に伴い充電電流は漸減し、蓄電池電圧が（Ｖｂ−Ｖｐ）になった時点で充電電流がゼロになり、蓄電池電圧が下がれば自動的に充電が開始されるので、蓄電池を充電しながら使用するフローテング使用には最適な回路になる。単独の充電器としても過充電防止が可能である。しかもアイドリング電流はゼロである。なお、充電器として使用するときは、コンデンサＣ１は必ずしも必要ではない。充電回路として考えるときは、点線内の電源回路のみの動作であり、負荷回路ＲＬとＭＯＳＦＥＴＱ２の回路は不要である。
【実施例２】
【００１１】  図３は本発明の請求項１〜請求項３にかかわる実施例で交流電源用回路である。蓄電池充電回路については、実施例１の説明に準じるのでここでは割愛する。この回路は、ＭＯＳＦＥＴＱ３とＱ４のゲート同士とソース同士を各々接続した逆直列回路を交流電源ＡＣと負荷回路ＲＬに直列接続する。以後の説明上、ＭＯＳＦＥＴＱ３とＱ４のソース同士を０点とし、交流電源ＡＣの黒点側をＫ点とし、ＡＣの非黒点側をＬ点とし、Ｑ４のドレインと負荷回路ＲＬの接続点をＭ点とする。Ｋ点と０点間に０点側よりコンデンサｃ２とアノードを０点側にしたツェナーダイオードＺＤの並列回路のＺＤのカソードに抵抗器Ｒ２とＪＦＥＴＱ１のゲートを接続し、Ｒ２の別の端子とＱ１のドレインとダイオードＤ１のカソードを接続し、Ｄ１のアノードをＫ点に接続する。また、ＪＦＥＴＱ１のソースと０点間にコンデンサＣ１を接続し、Ｃ１の両端を制御回路ＳＧの電源端子に接続し、ＳＧの出力ＯＰはＭＯＳＦＥＴＱ３とＱ４のゲート同士に接続する。ＭＯＳＦＥＴＱ３とＱ４の寄生ダイオードは各々ダイオードＤ３とＤ４とする。
動作を説明する。交流電源ＡＣの黒点側が正になればＡＣの電流は、交流電源ＡＣ−ダイオードＤ１−抵抗器Ｒ２−ツェナーダイオードＺＤ−ダイオードＤ３−交流電源ＡＣと流れてコンデンサＣ２をＺＤのツェナー電圧に充電し、その電圧はＪＦＥＴＱ１のゲートに印加される。その状態で交流電源ＡＣの黒点側が正になればＡＣの電流は、交流電源ＡＣ−ダイオードＤ１−ＪＦＥＴＱ１−コンデンサＣ１−ダイオードＤ３−交流電源ＡＣと流れてＣ１を充電する。コンデンサＣ１の電圧は補助電源ＥＨとして制御回路ＳＧの電源端子に印加されてＳＧは動作し、ＳＧ出力ＯＰはＭＯＳＦＥＴＱ３とＱ４のゲート同士に印加される。制御回路ＳＧの出力電圧ＯＰがロウならＭＯＳＦＥＴＱ３とＱ４はオフになるので負荷回路ＲＬに電流は流れない。出力ＯＰがハイならＭＯＳＦＥＴＱ３とＱ４はオンになるので負荷回路ＲＬに電流が流れる。交流電源ＡＣの黒点側が正であれば負荷回路ＲＬを流れる電流は、交流電源ＡＣ−負荷回路ＲＬ−ＭＯＳＦＥＴＱ４−ダイオードＤ３−交流電源ＡＣと流れ、黒点側が負の時の電流は、交流電源ＡＣ−ＭＯＳＦＥＴＱ３−ダイオードＤ４−負荷回路ＲＬ−交流電源ＡＣと流れて負荷回路ＲＬは動作する。なお、ＭＯＳＦＥＴがオンの時の寄生ダイオードに流れる電流は、まずＭＯＳＦＥＴのソースからドレインへチャンネル部を流れ、そのオン電圧が寄生ダイオードの立ち上がり電圧以上になったときに寄生ダイオードにも流れる。交流電源ＡＣは商用周波数でなくともよく、トランスの２次側でもよい。コンデンサＣ２はＪＦＥＴＱ１のゲート電圧を直流にしている。
【実施例３】
【００１２】  図４は本発明の請求項１〜請求項３にかかわる実施例で、図３とは別の交流電源用回路である。蓄電池充電回路については、実施例１の説明に準じるのでここでも割愛する。
図４は図３のＬ点とＭ点間にダイオードＤ５とＤ７のカソード同士を接続した逆直列回路と、ダイオードＤ６とＤ８のアノード同士を接続した逆直列回路を並列接続し、Ｄ５とＤ７のカソードにＭＯＳＦＥＴＱ２のドレインを接続し、Ｄ６とＤ８のアノードにＱ２のソースを接続する。この回路の０点はＭＯＳＦＥＴＱ２のソースである。Ｋ点と０点間には図３と同じく、コンデンサＣ１とＣ２、ツェナーダイオードＺＤ、抵抗器Ｒ２、ダイオードＤ１、ＪＦＥＴＱ１を接続し、Ｃ１の両端は制御回路ＳＧの電源端子に接続し、ＳＧの出力ＯＰをＭＯＳＦＥＴＱ２のゲートに接続する。
動作を説明する。この回路のコンデンサＣ１の両端が電源でＣ１の電圧が制御回路ＳＧの電源端子に印加されてＳＧが動作するまでは段落「００１１」とほぼ同じである。制御回路ＳＧの出力ＯＰがロウならＭＯＳＦＥＴＱ２はオフになり負荷回路ＲＬに電流は流れない。出力ＯＰがハイならＭＯＳＦＥＴＱ２はオンになるので負荷回路ＲＬに電流が流れる。交流電源ＡＣの黒点側が正であれば負荷回路ＲＬを流れる電流は、交流電源ＡＣ−負荷回路ＲＬ−ダイオードＤ７−ＭＯＳＦＥＴＱ２−ダイオードＤ６−交流電源ＡＣと流れ、黒点側が負の時の電流は、交流電源ＡＣ−ダイオードＤ５−ＭＯＳＦＥＴＱ２−ダイオードＤ８−負荷回路ＲＬ−交流電源ＡＣと流れて、ＲＬは動作する。図４の負荷回路ＲＬは交流回路用であるがＲＬが直流でも動作する回路であればＲＬをダイオードＤ５とＤ７のカソードとＭＯＳＦＥＴＱ２のドレイン間に接続できる。その回路なら負荷回路とＭＯＳＦＥＴの複数の直列回路を複数の制御回路で制御できる。
【図面の簡単な説明】
【００１３】
【図１】  本発明の第１の実施例で、直流電源を入力にした電源回路の出力電圧を、制御回路の電源に使用した待機電力回路の例である。
【図２】  ＪＦＥＴの伝達特性で、ドレイン飽和電流Ｉｄｓｓをパラメータとするゲート・ソース間電圧Ｖｇｓとドレイン電流Ｉｄの関係である。
【図３】  本発明の第２の実施例で、交流電源を入力にした電源回路の出力電圧を、制御回路の電源に使用した待機電力回路の例である。
【図４】  本発明の第３の実施例で、図３とは別の、交流電源を入力にした電源回路の出力電圧を、制御回路の電源に使用した待機電力回路の例である。
【図５】  従来の回路で、３端子レギュレータの出力電圧を、制御回路の電源に使用した待機電力回路の例である。
【符号の説明】
【００１４】      Ｅ              直流電源
ＡＣ            交流電源
Ｂ              電池
ＥＨ            補助電源
ＳＧ            制御回路
ＩＰ            制御回路の入力
ＯＰ            制御回路の出力
ＲＬ            負荷回路
Ｑ１            デプレッション型ジャンクションＦＥＴ（ＪＦＥＴ）
Ｑ２〜Ｑ４      ＭＯＳＦＥＴ
Ｄ１〜Ｄ８      ダイオード
Ｒ１〜Ｒ２      抵抗器
Ｃ１〜Ｃ２      コンデンサ
Ｉｄ            ＪＦＥＴのドレイン電流
Ｉｄｓｓ        ＪＦＥＴのドレイン飽和電流
Ｖｇｓ          ＪＦＥＴのゲート・ソース間電圧
Ｖｐ            ＪＦＥＴのピンチオフ電圧
Ｖｂ            電池の電圧
Ｖｃ１          コンデンサＣ１の電圧（補助電源電圧）
Ｖｔ            被充電蓄電池電圧
【図１】
2007236175.tif 000003
【図２】
2007236175.tif 000004
【図３】
2007236175.tif 000005
【図４】
2007236175.tif 000006
【図５】
2007236175.tif 000007